(57)【要約】【課題】フォーカルプレンシャッタにおいて、シャッタ羽根動作時に摩擦により発生する摩耗粉やゴミが撮像部に付着することを抑制可能な構成とする。【解決手段】第１開口部を有する地板と、前記第１開口部に対向する位置に矩形状の第２開口部を有するカバー板と、前記地板と前記カバー板との間に配置され、前記第１開口部及び前記第２開口部を覆う状態と開放する状態とを切り替えるシャッタ羽根と、前記シャッタ羽根を駆動する駆動部と、を備え、前記カバー板は、前記第２開口部を形成するいずれかの辺の外側の領域であって、前記駆動部が配置された領域とは異なる領域に形成された貫通孔または溝を有しており、前記貫通孔が形成された領域を覆うよう配置され、または前記溝の底部に配置された粘着部材を有する構成とする。【選択図】図３
2018185443.tif 000002
【特許請求の範囲】
【請求項１】
第１開口部を有する地板と、
前記第１開口部に対向する位置に矩形状の第２開口部を有するカバー板と、
前記地板と前記カバー板との間に配置され、前記第１開口部及び前記第２開口部を覆う状態と開放する状態とを切り替えるシャッタ羽根と、
前記シャッタ羽根を駆動する駆動部と、を備え、
前記カバー板は、前記第２開口部を形成するいずれかの辺の外側の領域であって、前記駆動部が配置された領域とは異なる領域に形成された貫通孔または溝を有しており、
前記貫通孔が形成された領域を覆うよう配置され、または前記溝の底部に配置された粘着部材を有する、
フォーカルプレンシャッタ。
【請求項２】
前記カバー板は、前記地板よりも撮像部に近い位置に配置されている、
請求項１に記載のフォーカルプレンシャッタ。
【請求項３】
前記貫通孔または前記溝が形成された面積は、前記貫通孔または前記溝が形成された領域全体の５０％以下の面積である、
請求項１または請求項２に記載のフォーカルプレンシャッタ。
【請求項４】
前記貫通孔または前記溝は、平面視において前記シャッタ羽根の移動終端位置と重なる位置に形成される、
請求項１から請求項３のいずれか１項に記載のフォーカルプレンシャッタ。
【請求項５】
前記貫通孔または前記溝は、前記第２開口部の前記辺に水平または垂直な方向に延びる長孔である、
請求項１から請求項４のいずれか１項に記載のフォーカルプレンシャッタ。
【請求項６】
前記貫通孔または前記溝は、前記第２開口部の前記辺の３辺に沿って屈曲しながら延びる長孔を含む、
請求項１から請求項４のいずれか１項に記載のフォーカルプレンシャッタ。
【請求項７】
前記長孔の幅が１００μｍ以上である、
請求項５または請求項６に記載のフォーカルプレンシャッタ。
【請求項８】
前記貫通孔または前記溝は、格子状に複数配列されている、
請求項１から請求項４のいずれか１項に記載のフォーカルプレンシャッタ。
【請求項９】
前記貫通孔または前記溝が形成された面積は、前記貫通孔または前記溝が形成された領域全体の４０％以下の面積である、
請求項８に記載のフォーカルプレンシャッタ。
【請求項１０】
前記カバー板が前記貫通孔を有する
請求項１から請求項９のいずれか１項に記載のフォーカルプレンシャッタ。
【請求項１１】
前記カバー板が前記溝を有する
請求項１から請求項９のいずれか１項に記載のフォーカルプレンシャッタ。
【請求項１２】
請求項１〜請求項１１のいずれか１項に記載のフォーカルプレンシャッタを備えるカメラ。
【発明の詳細な説明】
【技術分野】
【０００１】
本発明の一態様は、カメラに用いられるフォーカルプレンシャッタなどに関する。
【背景技術】
【０００２】
シャッタ羽根によって開口部（露光開口、または画枠とも称する）を開閉することで撮像素子に対する露光を行うフォーカルプレンシャッタでは、地板とカバー板との間に形成された羽根室に配置されたシャッタ羽根を駆動機構により駆動することで開口部の開閉状態を変化させ、露光が行われる構成となっている。シャッタ羽根は、リベットなどの連結具でアームの一端に連結され、アームの他端は駆動機構に連結される。シャッタの動作時には、駆動機構によりアームを介してシャッタ羽根に駆動力が伝達されることでシャッタ羽根が移動するが、このとき、連結具及びシャッタ羽根と地板との摩擦などにより、摩耗粉が発生することがある。また、シャッタ以外の部材からもゴミが発生することがある。これらの摩耗粉及びゴミが撮像素子に付着すると、撮像結果の品質が低下する原因となる。このような摩耗粉及びゴミへの対策を施した構成として、例えば特許文献１では、摩耗粉及びゴミが撮像面に飛来することを防止するために、粘着シートを利用したカメラ用フォーカルプレンシャッタが開示されている。
【先行技術文献】
【特許文献】
【０００３】
【特許文献１】特開２００３−２８００６６号公報
【発明の概要】
【発明が解決しようとする課題】
【０００４】
上記従来の構成のフォーカルプレンシャッタでは、摩耗粉及びゴミが撮像面に付着することを軽減させることが可能であったが、近年、画質向上に対するさらに高い要求がある。そのため、従来よりもさらに効果的に、摩耗粉及びゴミが撮像面に付着することが可能な構成が求められている。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
第１開口部を有する地板（１）と、
前記第１開口部に対向する位置に矩形状の第２開口部を有するカバー板（２）と、
前記地板と前記カバー板との間に配置され、前記第１開口部及び前記第２開口部を覆う状態と開放する状態とを切り替えるシャッタ羽根（４）と、
前記シャッタ羽根を駆動する駆動部（８）と、を備え、
前記カバー板（２）は、前記第２開口部を形成するいずれかの辺の外側の領域であって、前記駆動部が配置された領域とは異なる領域に形成された貫通孔または溝（２１ａ〜２１ｎ）を有しており、
前記貫通孔が形成された領域を覆うよう配置され、または前記溝の底部に配置された粘着部材（９ａ〜９ｆ）を有する、
フォーカルプレンシャッタである。
【０００７】
上記構成のフォーカルプレンシャッタによれば、シャッタ羽根の動作の際の摩擦などによって発生した摩耗粉やゴミを粘着部材で吸着する構成としているため、従来よりも効果的に摩耗粉やゴミを吸着することが可能となる。また、貫通孔または溝が、駆動部が配置された領域とは異なる領域に形成されているため、シャッタ羽根の摺動により生じた摩耗粉やゴミを捕獲しやすい構成とすることができる。これによって、摩耗粉やゴミが飛散して撮像素子に付着し、画質が低下することを防止することなどが可能となる。
【０００８】
上記フォーカルプレンシャッタにおいて、好ましくは、
前記カバー板（２）は、前記地板よりも撮像部に近い位置に配置されている。
【０００９】
上記構成のフォーカルプレンシャッタによれば、摩耗粉やゴミが撮像部に付着しやすい部分において、摩耗粉やゴミを吸着する構成を採用しているため、特に対策が必要な部分において効果的な構成とすることができる。
【００１０】
上記フォーカルプレンシャッタにおいて、好ましくは、
前記貫通孔または前記溝が形成された面積は、前記貫通孔または前記溝が形成された領域全体の５０％以下の面積である。
【００１１】
上記構成のフォーカルプレンシャッタによれば、カバー板に対して適度な面積割合で貫通孔または溝を形成しているため、カバー板の剛性を維持しつつ摩耗粉やゴミを捕獲可能な構成とすることができ、カバー板が破損しやすくなることを防止することができる。
【００１２】
上記フォーカルプレンシャッタにおいて、好ましくは、
前記貫通孔または前記溝（２１ｃ、２１ｄ、２１ｉ、２１ｊ、２１ｋ）は、平面視において前記シャッタ羽根の移動終端位置と重なる位置に形成される。
【００１３】
上記構成のフォーカルプレンシャッタによれば、摩耗粉やゴミが特に発生しやすい箇所に貫通孔または溝を形成しているため、摩耗粉やゴミをさらに捕獲しやすい構成とすることができる。
【００１４】
上記フォーカルプレンシャッタにおいて、好ましくは、
前記貫通孔または前記溝は、前記第２開口部の前記辺に水平または垂直な方向に延びる長孔（２１ａ〜２１ｊ）である。
【００１５】
上記フォーカルプレンシャッタにおいて、好ましくは、
前記貫通孔または前記溝は、前記第２開口部の前記辺の３辺に沿って屈曲しながら延びる長孔（２１ａ、２１ｂ）を含む。
【００１６】
上記構成のフォーカルプレンシャッタによれば、貫通孔または溝を比較的形成しやすい形状とすることができる。
【００１７】
上記フォーカルプレンシャッタにおいて、好ましくは、
前記長孔の幅が１００μｍ以上である。
【００１８】
フォーカルプレンシャッタ近傍で発生する摩耗粉やゴミなどの大きさは概ね１００μｍ以下であるが、上記構成のフォーカルプレンシャッタによれば、フォーカルプレンシャッタ近傍で発生したこれらの摩耗粉やゴミなどをすべて捕獲可能な構成とすることができる。
【００１９】
上記フォーカルプレンシャッタにおいて、好ましくは、
前記貫通孔または前記溝（２１ｋ〜２１ｍ）は、格子状に複数配列されている。
【００２０】
上記フォーカルプレンシャッタにおいて、好ましくは、
前記貫通孔または前記溝が形成された面積は、前記貫通孔または前記溝が形成された領域全体の４０％以下の面積である。
【００２１】
上記構成のフォーカルプレンシャッタによれば、カバー板に対して適度な面積割合で格子状に配列された貫通孔または溝を形成しているため、カバー板の剛性を維持しつつ摩耗粉やゴミを捕獲可能な構成とすることができ、カバー板が破損しやすくなることを防止することができる。
【００２２】
上記フォーカルプレンシャッタにおいて、好ましくは、
前記カバー板が前記貫通孔を有する。
【００２３】
上記構成のフォーカルプレンシャッタによれば、溝を有する場合と比較して、比較的簡易にカバー板を形成することができる。
【００２４】
上記フォーカルプレンシャッタにおいて、好ましくは、
前記カバー板が前記溝を有する。
【００２５】
上記構成のフォーカルプレンシャッタによれば、貫通孔を有する場合と比較して、摩耗粉やゴミをより効果的に捕獲する構成にすることができる。
【００２６】
上記いずれかのフォーカルプレンシャッタは、カメラに好適に適用される。
【００２７】
上記のようなカメラによれば、撮像部など、フォーカルプレンシャッタ周辺に摩耗粉やゴミなどが飛散することを防止することが可能となる。これによって、撮像部に摩耗粉やゴミなどが付着することを抑制することでき、カメラで撮像される画像の品質を向上させることなどが可能となる。
【図面の簡単な説明】
【００２８】
【図１】図１は、実施形態１におけるフォーカルプレンシャッタの羽根走行完了状態の平面図である。
【図２】図２は、実施形態１におけるフォーカルプレンシャッタのセット状態の平面図である。
【図３】図３は、実施形態１におけるフォーカルプレンシャッタの平面図であって、粘着テープを配置した状態を示した図である。
【図４】図４は、実施形態１におけるカバー板の平面図である。
【図５】図５は、実施形態１の変形例１におけるフォーカルプレンシャッタの羽根走行完了状態の平面図である。
【図６】図６は、実施形態１の変形例２におけるフォーカルプレンシャッタの羽根走行完了状態の平面図である。
【図７】図７は、実施形態２におけるフォーカルプレンシャッタの羽根走行完了状態の平面図である。
【図８】図８は、実施形態２におけるフォーカルプレンシャッタのセット状態の平面図である。
【図９】図９は、実施形態２におけるフォーカルプレンシャッタの平面図であって、粘着テープを配置した状態を示した図である。
【図１０】図１０は、実施形態２におけるカバー板の平面図である。
【図１１】図１１は、実施形態２の変形例１におけるフォーカルプレンシャッタの羽根走行完了状態の平面図である。
【図１２】図１２は、実施形態２の変形例２におけるフォーカルプレンシャッタの羽根走行完了状態の平面図である。
【発明を実施するための形態】
【００２９】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．その他の変形例
４．本発明の特徴
５．補足事項
【００３０】
＜１．実施形態１＞
本発明のフォーカルプレンシャッタは、デジタルカメラなどで利用されるものであり、フォーカルプレンシャッタの動作などにより発生する摩耗粉やゴミなどを捕獲するための構成に特徴のひとつがある。具体的には、本実施形態のフォーカルプレンシャッタは、カバー板の開口部の周囲に貫通孔が形成され、この貫通孔の先に粘着テープが配置されている点を特徴とする。
【００３１】
図１及び図２は、本実施形態のフォーカルプレンシャッタの平面図であって、図１は羽根走行完了状態を示し、図２は羽根走行前のセット状態を示している。図３は、本実施形態のフォーカルプレンシャッタの平面図であって、粘着テープが配置された状態を示す図である。図１及び図２では、粘着テープの表示を省略している。
【００３２】
図１〜図３に示されるように、本実施形態のフォーカルプレンシャッタは、地板１、カバー板２、中間板３、先羽根４、後羽根５、先羽根用アーム６１及び６２、後羽根用アーム７１及び７２、駆動部８、並びに粘着テープ９ａ〜９ｃを含んで構成される。
【００３３】
＜地板１＞
地板１は、フォーカルプレンシャッタの基板部分であって、矩形状の開口部１ａが形成されている。図１に示されるように、地板１の開口部１ａの側方位置（図の右側）には駆動部８が搭載される。なお、開口部１ａの形状は矩形に限らず、任意の形状を採用してもよい。開口部１ａは、本発明の「第１開口部」の一例である。
【００３４】
＜カバー板２＞
カバー板２は、地板１と対向する位置に、地板１に対して所定の間隔を空けて取り付けられる。カバー板２は、フォーカルプレンシャッタが搭載されたカメラにおいて撮像素子に近い位置に配置される。地板１とカバー板２との間には、中間板３、先羽根４、後羽根５、先羽根用アーム６１及び６２、並びに後羽根用アーム７１及び７２が配置される。カバー板２は、地板１の開口部１ａに対向する位置に形成された開口部２ａを有する。開口部２ａは、開口部１ａと類似の矩形状であるが、完全な矩形状ではなくても良い。開口部２ａは、本発明の「第２開口部」の一例である。なお、カバー板２は、「補助地板」などと呼ばれる場合もある。
【００３５】
図４は、本実施形態のカバー板２の平面図である。図４に示されるように、カバー板２には、貫通孔２１ａ〜２１ｆが形成されている。これらの貫通孔２１ａ〜２１ｆは、いずれも開口部２ａを形成する辺（開口部２ａの外縁となる辺）の外側の領域であって、駆動部８が配置された領域を除く領域に形成されている。貫通孔２１ａ〜２１ｆは、開口部２ａを形成する辺が延びる方向に対して平行な方向に延びている。貫通孔２１ａ及び２１ｂは、開口部２ａを形成する４辺のうち、駆動部８が配置された位置に対応する辺を除く３辺に沿って屈曲しながら延びる形状である。つまり、貫通孔２１ａ及び２１ｂは、開口部２ａを形成する辺のうちの３辺に沿って、開口部２ａを囲むように形成されている。
【００３６】
フォーカルプレンシャッタの近傍では、概ね１００μｍ以下の大きさの摩耗粉及びゴミが発生する。貫通孔２１ａ〜２１ｆの幅は、上記の概ね１００μｍ以下の摩耗粉及びゴミをすべて捕獲可能にするため、１００μｍ以上になるよう形成することが好ましい。
【００３７】
貫通孔２１ａ〜２１ｆが形成された部分の面積は、カバー板２の剛性を維持するため、これらの貫通孔２１ａ〜２１ｆが形成された領域全体に対して５０％以下の面積となっている。
【００３８】
＜中間板３＞
中間板３は、地板１とカバー板２との間に配置され、地板１との間と、カバー板２との間に、それぞれ後羽根５及び先羽根４を収容する羽根室を形成する。つまり、地板１と中間板３との間には後羽根５が配置され、カバー板２と中間板３との間には先羽根４が配置される。カメラに搭載される撮像素子から近い順に、カバー板２、先羽根４、中間板３、後羽根５、地板１、と配置されている。中間板３は、地板１の開口部１ａ及びカバー板２の開口部２ａに対向する位置に、矩形状の開口部３ａを有する。開口部１ａ及び２ａ同様、中間板３の開口部３ａも矩形状ではない任意の形状であっても良い。
【００３９】
＜先羽根４＞
先羽根４は、上記のようにカバー板２と中間板３との間に位置している。先羽根４は、複数の板状部材からなり、「先羽根群」と呼ばれることがある。先羽根４は、連結具（符号省略）を介して先羽根用アーム６１及び６２に連結される。先羽根４は、先羽根用アーム６１及び６２を介して、駆動部８により駆動される。先羽根４は、後羽根５よりも撮像素子に近い位置に配置されている。先羽根４及び後羽根５は、それぞれアルミニウムなどの金属、カーボンファイバー、または樹脂により形成される。なお、先羽根４は、本発明の「シャッタ羽根」の一例である。
【００４０】
＜後羽根５＞
後羽根５は、上記のように地板１と中間板３との間に位置している。後羽根５は、先羽根４と同様に複数の板状部材からなり、「後羽根群」と呼ばれることがある。後羽根５は、連結具（符号省略）を介して、２つの後羽根用アーム７１及び７２に連結される。後羽根５は、後羽根用アーム７１及び７２を介して、駆動部８により駆動される。
【００４１】
＜先羽根用アーム６１及び６２＞
先羽根用アーム６１及び６２は、駆動部８と先羽根４との間に配置され、駆動部８で発生した駆動力を先羽根４に伝達する。先羽根用アーム６１及び６２は、連結具によって先羽根４に連結される。先羽根用アーム６１及び６２は、駆動部８の一部に連結されることで、駆動部８から駆動力が伝達される。
【００４２】
＜後羽根用アーム７１及び７２＞
後羽根用アーム７１及び７２は、駆動部８と後羽根５との間に配置され、駆動部８で発生した駆動力を後羽根５に伝達する。後羽根用アーム７１及び７２は、連結具によって後羽根５に連結される。後羽根用アーム７１及び７２は、駆動部８の一部に連結されることで、駆動部８から駆動力が伝達される。
【００４３】
＜駆動部８＞
駆動部８は、地板１の側方部に一部または全部が配置され、外部から与えられる電力によって動作し、先羽根用アーム６１及び６２、並びに後羽根用アーム７１及び７２を介して先羽根４及び後羽根５を駆動する。駆動部８は、例えば、永久磁石、ヨーク、コイル、及びコイルばねなどを含み、与えられた電力によって動作する、従来から知られる電磁アクチュエータなどである。
【００４４】
＜粘着テープ９ａ〜９ｃ＞
粘着テープ９ａ〜９ｃは、図３に示されるように、貫通孔２１ａ〜２１ｆが形成された領域を覆うように配置される。本実施形態では、開口部２ａを形成する辺のうちの３辺のそれぞれ外側の位置に、３枚の粘着テープ９ａ〜９ｃが配置されているが、このような配置に限定されるものではない。例えば、貫通孔２１ａ〜２１ｆの全体を覆う１枚の粘着テープが配置される構成であっても良い。
【００４５】
粘着テープ９ａ〜９ｃは、カバー板２の面のうち、撮像素子に近い方の面に貼り付けられて配置される。粘着テープ９ａ〜９ｃは、例えば両面テープであって、その両面が粘着性を有するように、例えば粘着剤が塗布されている。粘着テープ９ａ〜９ｃは、市販の粘着テープや両面テープなどであっても良いし、摩耗粉やゴミなどを付着させる特性を有する市販のものではないシート状の部材を採用しても良い。粘着テープ９ａ〜９ｃは、本発明における「粘着部材」の一例である。
【００４６】
本実施形態のフォーカルプレンシャッタは、平面視で開口部１ａ、２ａ及び３ａの内側の位置であって、被写体とは逆側（光軸方向後方）に撮像素子を備える撮像装置（カメラ）に用いられる。撮像素子は、フォーカルプレンシャッタにおいて地板１よりもカバー板２に近い位置であって、基板上に搭載される。撮像素子は、例えばＣＭＯＳセンサ、またはＣＣＤなどの光電変換素子である。なお、撮像素子は本発明の「撮像部」の一例である。
【００４７】
＜実施形態１の変形例１＞
図５は、実施形態１の変形例１のフォーカルプレンシャッタの平面図である。本変形例のフォーカルプレンシャッタでは、カバー板２に形成される貫通孔が追加されている。
【００４８】
図５に示されるように、本実施形態のカバー板２は、開口部２ａの側方であって駆動部８が配置される側の領域に、貫通孔２１ｈ及び２１ｇが形成されている。つまり、カバー板２を形成する辺において、平面視で駆動部８が配置される側に対応する辺の外側の位置に、貫通孔２１ｈ及び２１ｇが形成されている。貫通孔２１ｈ及び２１ｇは、開口部２ａを形成する辺（図の右側の辺）に沿って延びる。貫通孔２１ｈ及び２１ｇは、カバー板２に形成された、駆動部８から突出した駆動ピンが挿通される貫通孔の位置と干渉しないように、開口部２ａの近傍に配置されている。貫通孔２１ｈ及び２１ｇを覆う位置には、粘着テープ（図示省略）が配置される。この位置に貫通孔２１ｈ及び２１ｇ、並びに粘着テープを配置することで、より広い範囲で摩耗粉やゴミを捕獲可能な構成とすることができる。
【００４９】
＜実施形態１の変形例２＞
図６は、実施形態１の変形例２のフォーカルプレンシャッタの平面図である。本変形例のフォーカルプレンシャッタでは、カバー板２に形成される貫通孔が限定されている。
【００５０】
図６に示されるように、本実施形態のカバー板２は、平面視において先羽根４の移動終端位置と重なる位置にのみ、貫通孔２１ａ、２１ｂ、２１ｉ及び２１ｊが形成されている。貫通孔２１ａ、２１ｂ、２１ｉ及び２１ｊを覆う位置には、粘着テープ（図示省略）が配置される。このように、先羽根４の移動終端位置では摩耗粉やゴミが特に発生しやすいため、この位置に貫通孔２１ａ、２１ｂ、２１ｉ及び２１ｊを形成して粘着テープを配置することで、限られた貫通孔と粘着テープとを利用しながら効果的に摩耗粉やゴミを捕獲しやすい構成とすることができる。
【００５１】
＜２．実施形態２＞
次に、本発明の実施形態２について説明する。本実施形態は、実施形態１と類似しているが、カバー板２に形成された貫通孔の形状が異なっている。以下の説明では、本実施形態が実施形態１と異なる点についてのみ説明し、実施形態１と共通の構成についてはその説明を省略する。
【００５２】
図７及び図８は、本実施形態のフォーカルプレンシャッタの平面図であって、図７は羽根走行完了状態を示し、図８は羽根走行前のセット状態を示している。図９は、本実施形態のフォーカルプレンシャッタの平面図であって、粘着テープが配置された状態を示す図である。図７及び図８では、粘着テープの表示を省略している。
【００５３】
図７〜図９に示されるように、本実施形態のフォーカルプレンシャッタは、地板１、カバー板２、中間板３、先羽根４、後羽根５、先羽根用アーム６１及び６２、後羽根用アーム７１及び７２、駆動部８、並びに粘着テープ９ｄ〜９ｆを含んで構成される。
【００５４】
＜カバー板２＞
図１０は、本実施形態のカバー板２の平面図である。図１０に示されるように、カバー板２には、貫通孔２１ｋ〜２１ｍが形成されている。これらの貫通孔２１ｋ〜２１ｍは、いずれも開口部２ａを形成する辺の外側の領域であって、駆動部８が配置された領域を除く領域に形成されている。より具体的には、貫通孔２１ｋは、図において開口部２ａの下側の領域に形成されている。貫通孔２１ｌは、図において開口部２ａの左側の領域に形成されている。貫通孔２１ｍは、図において開口部２ａの上側の領域に形成されている。貫通孔２１ｋ〜２１ｍは、それぞれ格子状に配列された複数の円形状の貫通孔を含む。貫通孔２１ｋ〜２１ｍは、それぞれ「貫通孔群」と称しても良い。なお、それぞれの貫通孔は円形状ではなく、多角形状などの他の形状であっても良い。
【００５５】
貫通孔２１ｋ〜２１ｍを構成する貫通孔は、カバー板２の剛性を維持するため、それぞれの直径を１μｍ以上１００μｍ以下になるよう形成することが好ましい。また、フォーカルプレンシャッタ近傍で発生する摩耗粉及びゴミの大きさは概ね１００μｍ以下であるため、これらの貫通孔を１００μｍ程度にすることが好ましい。
【００５６】
貫通孔２１ｋ〜２１ｍが形成された部分の面積は、カバー板２の剛性を維持するため、これらの貫通孔２１ｋ〜２１ｍが形成された領域全体に対して４０％以下の面積となっている。
【００５７】
＜粘着テープ９ｄ〜９ｆ＞
粘着テープ９ｄ〜９ｆは、図９に示されるように、貫通孔２１ｋ〜２１ｍが形成された領域を覆うように配置される。本実施形態では、開口部２ａを形成する辺のうちの３辺のそれぞれ外側の位置に、３枚の粘着テープ９ｄ〜９ｆが配置されているが、このような配置に限定されるものではない。例えば、貫通孔２１ｋ〜２１ｍの全体を覆う１枚の粘着テープが配置される構成であっても良い。
【００５８】
粘着テープ９ｄ〜９ｆは、実施形態１と同様、カバー板２の面のうち、撮像素子に近い方の面に貼り付けられて配置される。
【００５９】
＜実施形態２の変形例１＞
図１１は、実施形態２の変形例１のフォーカルプレンシャッタの平面図である。本変形例のフォーカルプレンシャッタでは、カバー板２に形成される貫通孔が追加されている。
【００６０】
図１１に示されるように、本実施形態のカバー板２は、開口部２ａの側方であって駆動部８が配置される側の領域に、貫通孔２１ｎが形成されている。つまり、カバー板２を形成する辺において、平面視で駆動部８が配置される側に対応する辺の外側の位置に、貫通孔２１ｎが形成されている。貫通孔２１ｎは、カバー板２に形成された、駆動部８から突出した駆動ピンが挿通される貫通孔の位置と干渉しないように、開口部２ａの近傍に配置されている。貫通孔２１ｎを覆う位置には、粘着テープ（図示省略）が配置される。この位置に貫通孔２１ｎ及び粘着テープを配置することで、より広い範囲で摩耗粉やゴミを捕獲可能な構成とすることができる。
【００６１】
＜実施形態２の変形例２＞
図１２は、実施形態２の変形例２のフォーカルプレンシャッタの平面図である。本変形例のフォーカルプレンシャッタでは、カバー板２に形成される貫通孔が限定されている。
【００６２】
図１２に示されるように、本実施形態のカバー板２は、平面視において先羽根４の移動終端位置と重なる位置にのみ、貫通孔２１ｋが形成されている。つまり、上記の実施形態２の構成と比較して、貫通孔２１ｌ及び２１ｍが除かれた構成となっている。貫通孔２１ｋを覆う位置には、粘着テープ（図示省略）が配置される。このように、先羽根４の移動終端位置では摩耗粉やゴミが特に発生しやすいため、この位置に貫通孔２１ｋのみを形成して粘着テープを配置することで、限られた貫通孔と粘着テープとを利用しながら効果的に摩耗粉やゴミを捕獲しやすい構成とすることができる。
【００６３】
＜３．その他の変形例＞
また、上記の実施形態１及び２、並びにそれぞれの実施形態の変形例のフォーカルプレンシャッタにおいて、以下のような更なる変形例を採用してもよい。
【００６４】
カバー板２は、貫通孔に代えて溝を有する構成としても良い。この場合、溝は先羽根４が位置する方向から撮像素子側に向かって窪むよう構成され、溝の底部に粘着剤または粘着テープなどの粘着部材を配置する。
【００６５】
また、上記の実施形態ではカバー板２が撮像素子に近くなる配置としていたため、カバー板２に貫通孔を設ける構成としたが、地板１が撮像素子に近くなる配置とした場合には、カバー板２ではなく地板１に貫通孔を設ける構成とすることが好ましい。つまり、カバー板２と地板１とが逆となった構成であっても効果が得られる。本発明においては「地板」と「カバー板」とは同様の特徴を有する構成であり、駆動部８を搭載する構成を「カバー板」と称しても良い。
【００６６】
同様に、上記の実施形態では先羽根４が撮像素子に近くなる配置としていたが、後羽根５が撮像素子に近くなる配置としても良い。
【００６７】
また、上記実施形態では、先羽根４及び後羽根５を備える構成について説明したが、いずれか一方の羽根のみを有する構成を採用した場合であっても本発明は有用である。
【００６８】
また、実施形態１では、カバー板２に形成された貫通孔２１ａ〜２１ｊが、開口部２ａを形成する辺に水平な構成を例に挙げて説明したが、このような形状に限定されるものではない。例えば、カバー板２の貫通孔は、開口部２ａを形成する辺に垂直な方向に延びる形状としても良い。また、開口部２ａを形成する辺の延びる方向にかかわらず、任意の方向に延びる形状としても良い。
【００６９】
＜４．本発明の特徴＞
本発明のフォーカルプレンシャッタは、カバー板２が、開口部２ａを形成する辺の外側の領域であって、駆動部８が配置された領域とは異なる領域に形成された貫通孔または溝を有する構成であって、貫通孔が形成された領域を覆うように配置された粘着部材、または溝の底部に配置された粘着部材（粘着テープ９ａ〜９ｆ）を有する構成としている。この構成により、従来よりも効果的に摩耗粉やゴミを吸着することが可能となる。また、摩耗粉やゴミが飛散して撮像素子に付着して画質が低下することを防止することなどが可能となる。
【００７０】
また、本発明のフォーカルプレンシャッタでは、カバー板２が地板１よりも撮像素子に近い位置に配置されている。そのため、撮像素子に向かって飛散しやすい摩耗粉やゴミを吸着する構成となり、撮像素子に摩耗粉やゴミが付着することを抑制しやすい構成となる。
【００７１】
また、本発明のフォーカルプレンシャッタでは、貫通孔または溝が形成された面積が、貫通孔または溝が形成された領域全体の５０％以下となるよう構成している。このように、カバー板２に対して適度な面積で貫通孔または溝を形成しているため、カバー板２の剛性を維持しつつ摩耗粉やゴミを捕獲可能な構成とすることができ、カバー板２が破損しやすくなることを防止することができる。
【００７２】
また、本発明（特に実施形態１）のフォーカルプレンシャッタでは、開口部２ａを形成する辺のうちの３辺に沿って屈曲しながら延びる長孔（２１ａ及び２１ｂ）を有する構成としている。この構成によれば、貫通孔または溝を、プレス加工などによって比較的形成しやすい形状とすることができる。
【００７３】
また、本発明（特に実施形態２）のフォーカルプレンシャッタでは、格子状に配置された貫通孔または溝が形成された面積が、貫通孔または溝が形成された領域全体の４０％以下となるよう構成している。このように、カバー板２に対して適度な面積で貫通孔または溝を形成しているため、カバー板２の剛性を維持しつつ摩耗粉やゴミを捕獲可能な構成とすることができ、カバー板２が破損しやすくなることを防止することができる。
【００７４】
また、本発明のフォーカルプレンシャッタにおいて、カバー板２が貫通孔を有する構成とすると、溝を有する構成と比較して、プレス加工などによって比較的簡易にカバー板２を形成することができる。
【００７５】
また、本発明のフォーカルプレンシャッタにおいて、カバー板２が溝を有する構成とすると、貫通孔を有する構成と比較して、摩耗粉やゴミを捕獲しやすい構成とすることができる。
【００７６】
また、本発明のフォーカルプレンシャッタにおいて、カバー板２は、貫通孔と溝との双方を有する構成としても良い。この場合、実施形態１と実施形態２とを組み合わせた構成とすることができる。
【００７７】
上記のフォーカルプレンシャッタを備えるカメラなどの撮像装置では、撮像素子など、フォーカルプレンシャッタ周辺に摩耗粉やゴミなどが飛散することを防止することが可能となる。これによって、撮像素子に摩耗粉やゴミなどが付着することを抑制することでき、カメラで撮像される画像の品質を向上させることなどが可能となる。
【００７８】
＜５．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００７９】
上記の実施形態のフォーカルプレンシャッタでは、中間板３を有する構成例を説明したが、中間板３を有さない構成を採用してもよい。
【００８０】
また、上記の実施形態において粘着部材として機能する粘着テープ９ａ〜９ｆは、粘着性を備える部材によって構成されている例を挙げて説明したが、例えば、静電性を備えることで塵を付着させる構成のものを採用してもよい。
【００８１】
上記実施形態では、フォーカルプレンシャッタに備えられる先羽根４及び後羽根５は、それぞれ複数の羽根部材を有する構成として説明したが、先羽根４及び後羽根５は、それぞれ一枚の羽根部材を有する構成であっても良い。
【産業上の利用可能性】
【００８２】
本発明は、デジタルカメラなどのカメラ用のフォーカルプレンシャッタなどとして好適に適用される。
【符号の説明】
【００８３】
１…地板
１ａ…開口部
２…カバー板
２ａ…開口部
２１ａ〜２１ｎ…貫通孔
３…中間板
３ａ…開口部
４…先羽根
５…後羽根
６１…先羽根用アーム
７１…後羽根用アーム
８…駆動部
９ｄ〜９ｆ…粘着テープ
【図１】
2018185443.tif 000003
【図２】
2018185443.tif 000004
【図３】
2018185443.tif 000005
【図４】
2018185443.tif 000006
【図５】
2018185443.tif 000007
【図６】
2018185443.tif 000008
【図７】
2018185443.tif 000009
【図８】
2018185443.tif 000010
【図９】
2018185443.tif 000011
【図１０】
2018185443.tif 000012
【図１１】
2018185443.tif 000013
【図１２】
2018185443.tif 000014